(57)【要約】【課題】画像の品質を良好に保つことができる画像処理装置を提供する。【解決手段】カラー用の色変換部は、入力画像の彩度を低減させることなく、そのままの彩度で出力する。グレー用の色変換部は、グレー領域にある画像に関しては、彩度を低減させて出力する。また、カラー領域内においてもグレー領域に近い部分にある画素に関しては、彩度を低減させて出力する。補間部は、補間係数に基づいて、カラー用の出力とグレー用の出力とを補間し、出力する。すなわち、注目画素のグレーらしさが高ければ高いほど、彩度がより低減されるようにグレー用の出力に重みを付けて出力する。【選択図】図４
2009010588.tif 000002
【特許請求の範囲】
【請求項１】
注目画素の彩度を落とす処理、および落とさない処理が可能な色変換部と、
前記注目画素の周囲の画素の彩度に基づいて、前記注目画素のグレーらしさを示す係数を算出する係数算出部と、
前記係数算出部で算出された係数に基づいて、前記色変換部における、前記注目画素の彩度を落とす処理、および落とさない処理を補間する補間部とを備えた、画像処理装置。
【請求項２】
前記係数算出部は、
前記注目画素の周囲の画素を平均化する平均化部と、
前記平均化部で平均化されたデータから彩度を算出する平均彩度算出部と、
前記平均彩度算出部の算出した平均彩度データから、グレーらしさを示す補間係数を算出する補間係数算出部とを含む、請求項１に記載の画像処理装置。
【請求項３】
前記係数算出部は、
前記注目画素の周囲のグレー画素をカウントするカウント部と、
前記カウント部でカウントされた画素数から、グレーらしさを示す補間係数を算出する補間係数算出部とを含む、請求項１に記載の画像処理装置。
【請求項４】
前記色変換部は、前記注目画素の彩度を落とす程度が異なる複数の色変換部を含む、請求項１から３のいずれかに記載の画像処理装置。
【請求項５】
前記色変換部は、３種類以上の色変換部を含み、
前記補間部は、前記係数算出部で算出された係数に基づいて、前記３種類以上の色変換部のうちのいずれかを選択する、請求項１から４のいずれかに記載の画像処理装置。
【請求項６】
前記注目画素およびその周囲の各画素の彩度または濃度を算出し、前記注目画素とその周囲の画素との関係から特異画像らしさを示すデータを算出する特異画像データ算出部をさらに備え、
前記係数算出部は、前記特異画像データ算出部で算出された特異画像らしさを示すデータを加味して係数を算出する、請求項１から５のいずれかに記載の画像処理装置。
【請求項７】
前記特異画像は、細線や孤立点を含む、請求項６に記載の画像処理装置。
【請求項８】
注目画素の彩度を落とす処理、および落とさない処理が可能な色変換部を備えた画像処理装置の制御方法であって、
前記注目画素の周囲の画素の彩度に基づいて、前記注目画素のグレーらしさを示す係数を算出する係数算出ステップと、
前記係数算出ステップで算出された係数に基づいて、前記色変換部における、前記注目画素の彩度を落とす処理、および落とさない処理を補間する補間ステップとを備えた、画像処理装置の制御方法。
【請求項９】
注目画素の彩度を落とす処理、および落とさない処理が可能な色変換部を備えた画像処理装置の制御プログラムであって、
前記注目画素の周囲の画素の彩度に基づいて、前記注目画素のグレーらしさを示す係数を算出する係数算出ステップと、
前記係数算出ステップで算出された係数に基づいて、前記色変換部における、前記注目画素の彩度を落とす処理、および落とさない処理を補間する補間ステップとをコンピュータに実行させる、画像処理装置の制御プログラム。
【発明の詳細な説明】
【技術分野】
【０００１】
この発明は画像処理装置、画像処理装置の制御方法、および画像処理装置の制御プログラムに関し、特に画像データの彩度を調整することができる画像処理装置、画像処理装置の制御方法、および画像処理装置の制御プログラムに関する。
【背景技術】
【０００２】
ＭＦＰ（Multi Function Peripheral）、コピー機、プリンタ、ファクシミリ、ＰＣなどの画像形成装置には、色変換処理を行なう画像処理装置が用いられている。
【０００３】
色変換処理に関する技術として、下記特許文献１は、入力される色値がグレー領域に入っているかを判定し、入っていると判別された場合は、入っていないと判別された場合よりもルックアップテーブルの参照範囲を広くして出力の色値を演算する画像処理装置を開示している。これにより、グレー軸近傍での出力色値の連続性および再現性を向上させることができる。
【０００４】
特許文献２は、画像データのデータ量を低減させるために限定色化処理を行なう画像処理装置を開示している。限定色化処理で、グレー軸から所定の距離未満にある画素については彩度を低下させる処理を行ない、その後で色差が最小となる代表色に変換する。
【０００５】
特許文献３は、画像データのデータ量を低減させるために限定色化処理を行なう画像処理装置を開示している。限定色化処理で各画素に対して、グレー軸との距離（第１の距離）および色差が最小となる代表色との距離（第２の距離）が算出される。第２の距離よりも第１の距離が小さい場合には、注目画素がグレー軸上の代表色に変換される。
【特許文献１】特開２００５−２３６７１２号公報
【特許文献２】特開２００５−３２８１４４号公報
【特許文献３】特開２００５−３２８１４５号公報
【発明の開示】
【発明が解決しようとする課題】
【０００６】
色がグレー軸付近にある画素の彩度を落とすことにより、グレーバランス（無彩色のバランス）は向上する。しかしながら従来の技術では、本来グレーではない画素の彩度を落とすこともあり、画像の品質が悪化することがあった。
【０００７】
例えば、処理対象の画像中の同じ色からなる領域（パッチ）を処理する場合を想定する。グレー軸近辺のパッチに関しては、彩度を落とすことにより、グレーバランスを向上させることができる。
【０００８】
ただし、色データの読み取りにはばらつきがあり、そのばらつきによりグレーと判断されることが好ましくないパッチにおいても、一部の画素がグレー軸付近であると判別されることがある。そのような画素の彩度を落とすことにより、パッチ内の画素の色差が悪化する。
【０００９】
図７は、カラーパッチおよびグレーパッチの読み取りデータの具体例を示す図である。
【００１０】
図においては、色空間のうち、ａ軸およびｂ軸を含む平面が示されている。彩度の低い部分をグレー領域とみなし、彩度を低下させるものとする。図では、グレーの円をグレー領域とみなすものとする。単色のパッチを読み取ったとき、読み取りばらつきがないのであれば、パッチの色は色空間の１点で表わされる。
【００１１】
しかしながら実際は読み取りばらつきにより、パッチの読み取りデータは色空間上である程度の広がりをもったデータ群となる。図において、グレー領域の外縁付近にあるカラーパッチとグレーパッチの読み取り結果を点線の円で示している。ここにグレーパッチとは、読み取りばらつきがないのであればパッチを構成する画素が全てグレー領域に属するパッチをいう。カラーパッチとは、読み取りばらつきがないのであればパッチを構成する画素が全てグレー領域以外（カラー領域）に属するパッチをいう。
【００１２】
本来であれば、カラーパッチを構成する全ての画素はグレー領域外に属すべきであるが、読み取りばらつきにより、一部の画素がグレー領域内に含まれている。
【００１３】
一方、グレーパッチを構成する全ての画素はグレー領域内に属するべきであるが、読み取りばらつきにより、一部の画素がグレー領域外に属している。
【００１４】
図８は、図７のグレーパッチおよびカラーパッチを処理する例を示す図である。
【００１５】
図において（Ａ）および（Ｂ）はグレーパッチの処理例を示し、（Ｃ）および（Ｄ）はカラーパッチの処理例を示す。それぞれは、パッチ中の注目画素を中心とした５×５の画素を示している。斜線のハッチングが施された画素は、グレー領域外であると判断された画素（カラー画素）である。それ以外の画素は、グレー領域内であると判断された画素（グレー画素）である。
【００１６】
図８（Ａ）を参照して、グレーパッチを処理する場合において注目画素がグレー画素であるときには、その彩度を落とす処理が行なわれる。このため注目画素はよりグレーに近くなり、グレーパッチのグレーバランスを向上させることができる。
【００１７】
図８（Ｂ）を参照して、グレーパッチを処理する場合において注目画素がカラー画素であるときには、その彩度は落とされない。このため注目画素はそのままであり、グレーパッチのグレーバランスもそのまま（悪いまま）である。
【００１８】
図８（Ｃ）を参照して、カラーパッチを処理する場合において注目画素がグレー画素であるときには、その彩度を落とす処理が行なわれる。このため注目画素はよりグレーに近くなり彩度が落ちる。これにより、カラーパッチ内の画素の色差が悪化する。
【００１９】
図８（Ｄ）を参照して、カラーパッチを処理する場合において注目画素がカラー画素であるときには、その彩度は落とされない。このため注目画素はそのままである。
【００２０】
このように、従来の画像処理によると図８（Ｂ）および（Ｃ）の場合にはグレーパッチやカラーパッチの画質が悪くなるという問題があった。
【００２１】
この発明はそのような問題点を解決するためになされたものであり、画像の品質を良好に保つことができる画像処理装置、画像処理装置の制御方法、および画像処理装置の制御プログラムを提供することを目的としている。
【課題を解決するための手段】
【００２２】
上記目的を達成するためこの発明のある局面に従うと、画像処理装置は、注目画素の彩度を落とす処理、および落とさない処理が可能な色変換部と、注目画素の周囲の画素の彩度に基づいて、注目画素のグレーらしさを示す係数を算出する係数算出部と、係数算出部で算出された係数に基づいて、色変換部における、注目画素の彩度を落とす処理、および落とさない処理を補間する補間部とを備える。
【００２３】
好ましくは係数算出部は、注目画素の周囲の画素を平均化する平均化部と、平均化部で平均化されたデータから彩度を算出する平均彩度算出部と、平均彩度算出部の算出した平均彩度データから、グレーらしさを示す補間係数を算出する補間係数算出部とを含む。
【００２４】
好ましくは係数算出部は、注目画素の周囲のグレー画素をカウントするカウント部と、カウント部でカウントされた画素数から、グレーらしさを示す補間係数を算出する補間係数算出部とを含む。
【００２５】
好ましくは色変換部は、注目画素の彩度を落とす程度が異なる複数の色変換部を含む。
【００２６】
好ましくは色変換部は、３種類以上の色変換部を含み、補間部は、係数算出部で算出された係数に基づいて、３種類以上の色変換部のうちのいずれかを選択する。
【００２７】
好ましくは画像処理装置は、注目画素およびその周囲の各画素の彩度または濃度を算出し、注目画素とその周囲の画素との関係から特異画像らしさを示すデータを算出する特異画像データ算出部をさらに備え、係数算出部は、特異画像データ算出部で算出された特異画像らしさを示すデータを加味して係数を算出する。
【００２８】
好ましくは特異画像は、細線や孤立点を含む。
【００２９】
この発明の他の局面に従うと、注目画素の彩度を落とす処理、および落とさない処理が可能な色変換部を備えた画像処理装置の制御方法は、注目画素の周囲の画素の彩度に基づいて、注目画素のグレーらしさを示す係数を算出する係数算出ステップと、係数算出ステップで算出された係数に基づいて、色変換部における、注目画素の彩度を落とす処理、および落とさない処理を補間する補間ステップとを備える。
【００３０】
この発明のさらに他の局面に従うと、注目画素の彩度を落とす処理、および落とさない処理が可能な色変換部を備えた画像処理装置の制御プログラムは、注目画素の周囲の画素の彩度に基づいて、注目画素のグレーらしさを示す係数を算出する係数算出ステップと、係数算出ステップで算出された係数に基づいて、色変換部における、注目画素の彩度を落とす処理、および落とさない処理を補間する補間ステップとをコンピュータに実行させる。
【発明の効果】
【００３１】
これらの発明に従うと、画像の品質を良好に保つことができる画像処理装置、画像処理装置の制御方法、および画像処理装置の制御プログラムを提供することが可能となる。
【発明を実施するための最良の形態】
【００３２】
図１は、本発明の実施の形態の１つにおける画像処理装置の構成を示すブロック図である。
【００３３】
図を参照して画像処理装置は、ＲＧＢ（レッド、グリーン、ブルー）データを入力し、それを多次元ルックアップテーブルを用いてＣＭＹＫ（シアン、マゼンタ、イエロー、ブラック）データに変換し、出力する。
【００３４】
画像処理装置は、注目画素のＲＧＢデータをＣＭＹＫデータに変換するための色変換部１００，１０１を備える。色変換部は、注目画素のＲＧＢデータの彩度を落とす色変換パラメータを設定する色変換部（グレー用）１００と、注目画素のＲＧＢデータの彩度をそのままに保つ色変換パラメータを設定する色変換部（カラー用）１０１とから構成される。
【００３５】
画像処理装置は、注目画素の周辺の所定範囲の画素の平均化を行なう平均化部１０２と、平均化された画素の彩度を算出する平均彩度算出部１０３と、注目画素やその周辺画素の彩度（または濃度）の算出を行なう彩度（濃度）算出部１０４，１０６と、注目画素やその周辺画素の彩度（または濃度）に基づいて、注目画素が細線を構成する画素であるかを判定する細線判別部１０５と、注目画素やその周辺画素の彩度（または濃度）に基づいて、注目画素が孤立点を構成する画素であるかを判定する孤立点判別部１０７と、平均彩度算出部１０３、細線判別部１０５および孤立点判別部１０７の出力に基づいて彩度を落とすための補間係数を算出する補間係数算出部１０８と、補間係数に基づいて色変換部（グレー用）１００および色変換部（カラー用）１０１の出力を補間して出力する補間部１０９とを備える。
【００３６】
平均化部１０２は、注目画素を中心とした縦横数ドット単位（例えば、３ドット、５ドット、７ドット単位）の領域で画素の平均化を行なう。
【００３７】
図２は、画像処理装置の実行する画素の彩度変換処理を示すフローチャートである。
【００３８】
図を参照してステップＳ２００において、平均彩度や特異画像データから注目画素のグレーらしさが算出され、そのグレーらしさから補間係数（彩度落しに関する量）が算出される。ここに平均彩度とは、平均彩度算出部１０３の出力である。特異画像データとは、細線判別部１０５および孤立点判別部１０７の出力である。
【００３９】
グレーらしさとは、注目画素が本来のグレー画素であると判断できる確からしさをいう。注目画素の周囲の画素にグレー画素が多い場合、注目画素がグレーの細線を構成する画素である場合、および注目画素がグレーの孤立点を構成する画素である場合に、注目画素のグレーらしさが高いものとして、注目画素の彩度をより多く落とすようにする。
【００４０】
図３は、グレーらしさと補間係数との関係を示す図である。
【００４１】
本実施の形態において補間係数は、下式により求めるものとする。
【００４２】
補間係数＝（平均彩度データ）×（特異画像データ）                  …（１）
【００４３】
なお、平均彩度データは、０〜１の小数で表わされるデータであり、０に行くほどパッチがグレーであることを示し、１に行くほどパッチがカラーであることを示す。１つの画素の彩度は、たとえばＭＡＸ（Ｒ，Ｇ，Ｂ）−ＭＩＮ（Ｒ，Ｇ，Ｂ）の式で求めることができ、その値を複数の画素で平均することで平均彩度を求めることができる。
【００４４】
特異画像データは、０〜１の小数で表わされるデータであり、０に行くほど注目画素が特異であることを示し、１に行くほど注目画素が通常であることを示す。特異であるとは、注目画素がグレーの細線を構成する画素である場合、および注目画素がグレーの孤立点を構成する画素である場合の少なくともいずれかである。
【００４５】
細線を構成する画素であることを判別するためには、例えばパターンマッチングを行ない、一致性を判断する処理を採用することが考えられる。
【００４６】
孤立点を構成する画素であることは、例えば周辺画素の彩度と、注目画素の彩度の差の逆数から判別することができる。
【００４７】
図４は、色変換部（グレー用）１００、色変換部（カラー用）１０１、および補間部１０９の動作を説明するための図である。
【００４８】
色変換部（カラー用）１０１は、入力画像の彩度を低減させることなく、そのままの彩度で出力する。
【００４９】
色変換部（グレー用）１００は、グレー領域（図７参照）にある画像に関しては、彩度を低減させて出力する。カラー領域内においてもグレー領域に近い部分にある画素に関しては、彩度を低減させて出力する。カラー領域内において、グレー領域からある程度離れた部分にある画素に関しては、入力画像の彩度を低減させることなく、そのままの彩度で出力する。
【００５０】
補間部１０９は、補間係数に基づいて、カラー用の出力とグレー用の出力とを補間し、出力する。すなわち、グレーらしさが高ければ高いほど、彩度がより低減されるようにグレー用の出力に重みを付けて出力する。これにより、図中の「Ａ」で示されるようなカラー用とグレー用の２つの出力を補間した値が出力されることとなる。
【００５１】
図５は、図７のグレーパッチおよびカラーパッチを本実施例において処理する例を示す図である。
【００５２】
図において（Ａ）および（Ｂ）はグレーパッチの処理例を示し、（Ｃ）および（Ｄ）はカラーパッチの処理例を示す。それぞれは、パッチ中の注目画素を中心とした５×５の画素を示している。斜線のハッチングが施された画素は、グレー領域外であると判断された画素（カラー画素）である。それ以外の画素は、グレー領域内であると判断された画素（グレー画素）である。
【００５３】
図５（Ａ）を参照して、グレーパッチを処理する場合において注目画素がグレー画素であるときを想定する。この場合、注目画素は図４のグレー領域に属し、また、周囲の画素にグレーの画素が多くなるため、上記式（１）の平均彩度データは「０」に近くなる（グレーらしさが高くなる）。
【００５４】
これにより、補間部１０９の出力は、色変換部（カラー用）１０１よりも色変換部（グレー用）１００に重みを付けた出力となる。結果として、注目画素の彩度を落とす処理が行なわれ、その彩度を落とす量は多くなる。このため、注目画素はよりグレーに近くなり、グレーパッチのグレーバランスを向上させることができる。
【００５５】
図５（Ｂ）を参照して、グレーパッチを処理する場合において注目画素がカラー画素であるときを想定する。この場合、注目画素は図４のカラー領域に属する。但し、本来グレーパッチ内の画素であるため、注目画素は、カラー領域内においてもグレー領域に近い部分に位置することとなる。注目画素の周囲の画素にはグレーの画素が多くなるため、上記式（１）の平均彩度データは「０」に近くなる（グレーらしさが高くなる）。
【００５６】
これにより、補間部１０９の出力は、色変換部（カラー用）１０１よりも色変換部（グレー用）１００に重みを付けた出力となる。結果として、注目画素の彩度を落とす処理が行なわれ、その彩度を落とす量は多くなる。このため、注目画素はよりグレーに近くなり、グレーパッチのグレーバランスを向上させることができる。
【００５７】
図５（Ｃ）を参照して、カラーパッチを処理する場合において注目画素がグレー画素であるときを想定する。この場合、注目画素は図４のグレー領域に属する。但し、本来カラーパッチ内の画素であるため、注目画素の周囲の画素にはカラーの画素が多くなる。このため、上記式（１）の平均彩度データは「１」に近くなる（グレーらしさが低くなり、カラーらしさが高くなる）。
【００５８】
これにより、補間部１０９の出力は、色変換部（グレー用）１００よりも色変換部（カラー用）１０１に重みを付けた出力となる。結果として、注目画素の彩度を落とす処理が少なくなる（あるいはゼロになる）。このため、注目画素の彩度を保持することができ、カラーパッチ内の画素の色差を保持させることができる。
【００５９】
図５（Ｄ）を参照して、カラーパッチを処理する場合において注目画素がカラー画素であるときを想定する。この場合、注目画素は図４のカラー領域に属する。また、本来カラーパッチ内の画素であるため、注目画素は、カラー領域内においてもグレー領域から遠い部分に位置する場合が多い。そのため、注目画素の彩度を落とす処理が行なわれない場合が多い。
【００６０】
また、注目画素がカラー領域内においてグレー領域に近い部分に位置する場合においても、本来カラーパッチ内の画素であるため、注目画素の周囲の画素にはカラーの画素が多くなる。このため、上記式（１）の平均彩度データは「１」に近くなる（グレーらしさが低くなり、カラーらしさが高くなる）。
【００６１】
これにより、補間部１０９の出力は、色変換部（グレー用）１００よりも色変換部（カラー用）１０１に重みを付けた出力となる。結果として、注目画素の彩度を落とす処理が少なくなる（あるいはゼロになる）。このため、注目画素の彩度を保持することができ、カラーパッチ内の画素の色差を保持させることができる。
【００６２】
図６は、特異画像を本実施例において処理する例を示す図である。
【００６３】
図において（Ａ）はカラー画素に囲まれたグレーの細線の処理例を示し、（Ｂ）はカラー画素に囲まれたグレーの孤立点の処理例を示す。それぞれは、パッチ中の注目画素を中心とした５×５の画素を示している。斜線のハッチングが施された画素は、グレー領域外であると判断された画素（カラー画素）である。それ以外の画素は、グレー領域内であると判断された画素（グレー画素）である。
【００６４】
図６（Ａ）を参照して、注目画素の周囲にはカラー画素が多いため、上記式（１）の平均彩度データは「１」に近くなる（グレーらしさが低くなり、カラーらしさが高くなる）。しかしながら、グレー画素が細線として連続しているため、上記式（１）の特異画像データは「０」に近くなる（画像の特異さが高くなる）。これにより、補間部１０９の出力は、色変換部（カラー用）１０１よりも色変換部（グレー用）１００に重みを付けた出力となる。結果として、注目画素の彩度を落とす処理が行なわれ、その彩度を落とす量は多くなる。このため、注目画素はよりグレーに近くなり、細線を再現性よく明瞭に保持することができる。
【００６５】
図６（Ｂ）を参照して、注目画素の周囲にはカラー画素が多いため、上記式（１）の平均彩度データは「１」に近くなる（グレーらしさが低くなり、カラーらしさが高くなる）。しかしながら、注目画素の彩度（または濃度）と周囲の画素の彩度（または濃度）とを比較して、その差が大きいほど孤立点らしさが高いものとなるので、上記式（１）の特異画像データは「０」に近くなる（画像の特異さが高くなる）。これにより、補間部１０９の出力は、色変換部（カラー用）１０１よりも色変換部（グレー用）１００に重みを付けた出力となる。結果として、注目画素の彩度を落とす処理が行なわれ、その彩度を落とす量は多くなる。このため、注目画素はよりグレーに近くなり、孤立点を再現性よく明瞭に保持することができる。
【００６６】
［変形例］
【００６７】
上記実施の形態では、平均彩度に基づいて補間係数を算出しているが、注目画素周囲のグレー画素およびカラー画素の数をカウントすることにより、補間係数を算出しても良い。たとえば、注目画素周囲にグレー画素が多い場合には、グレーらしさを高くし、逆の場合には低くするものである。
【００６８】
また上記実施の形態では、補間係数によりカラー用とグレー用のデータの間を補間しているが、グレーらしさが一定値以上であればグレー用のデータを用い、そうでなければカラー用のデータを用いるようにしてもよい。
【００６９】
また、彩度を落とす程度が異なる３種類以上のデータ（変換部）を用意し、グレーらしさに応じて用いるデータを選択するようにしても良い。
【００７０】
さらに上記実施の形態では、特異画像として細線と孤立点を挙げているが、特異画像はこれに特定するものではない。
【００７１】
［実施の形態における効果］
【００７２】
上述の構成によると、注目画素がグレー軸付近のデータである時、画像処理装置は、注目画素周囲の画素データの平均をとり、原稿上でのグレーらしさを算出する（または、周囲のグレーと判断された画素をカウントしてグレーらしさを算出する）。グレーらしさに応じて、注目画素の彩度を落とす処理が行なわれる。またその際に、細線や孤立点など特異画像の場合も考慮して彩度を落とす割合が変更される。
【００７３】
これにより、グレーバランスを保ちつつ、グレー軸付近のパッチの色差を悪化させないという効果がある。さらに、細線や孤立点などの特異画像に関しては、再現性を重視した処理が可能となる。
【００７４】
［その他］
【００７５】
本発明はＭＦＰ、ファクシミリ装置、複写機、ＰＣなどの画像処理装置に対して実施することができる。
【００７６】
また、上述の実施の形態における処理は、ソフトウエアによって行なっても、ハードウエア回路を用いて行なってもよい。
【００７７】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００７８】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７９】
【図１】本発明の実施の形態の１つにおける画像処理装置の構成を示すブロック図である。
【図２】画像処理装置の実行する画素の彩度変換処理を示すフローチャートである。
【図３】グレーらしさと補間係数との関係を示す図である。
【図４】色変換部（グレー用）１００、色変換部（カラー用）１０１、および補間部１０９の動作を説明するための図である。
【図５】図７のグレーパッチおよびカラーパッチを本実施例において処理する例を示す図である。
【図６】特異画像を本実施例において処理する例を示す図である。
【図７】カラーパッチおよびグレーパッチの読み取りデータの具体例を示す図である。
【図８】図７のグレーパッチおよびカラーパッチを処理する例を示す図である。
【符号の説明】
【００８０】
１００  色変換部（グレー用）、１０１  色変換部（カラー用）、１０２  平均化部、１０３  平均彩度算出部、１０４，１０６  彩度（濃度）算出部、１０５  細線判別部、１０７  孤立点判別部、１０８  補間係数算出部、１０９  補間部。
【図１】
2009010588.tif 000003
【図２】
2009010588.tif 000004
【図３】
2009010588.tif 000005
【図４】
2009010588.tif 000006
【図５】
2009010588.tif 000007
【図６】
2009010588.tif 000008
【図７】
2009010588.tif 000009
【図８】
2009010588.tif 000010